(57)【要約】      （修正有）【課題】複数の各把持爪が加工物の形状に合わせて掴めるよう、各爪が微調節して働き、加工物が把持爪の力により変形しないで把持されるため、加工終了後に取り外しても、加工物の変形が少なくするフローティングチャックを提供する。【解決手段】チャック本体と、チャック本体には、一個のドローリングと、複数個の伝達移動体と、複数個の把持爪部とが装着されてなるチャックにおいて、ドローリングの周縁部に設けられた傾斜溝内に、伝達移動体の先端傾斜部が遊嵌すると共に、各伝達移動体を挟んで一対の把持爪部が形成されると共に、チャック本体に軸支される二個のレバーの一端部は把持爪部に設けられた保持溝に保持されると共に、レバーの他端部は伝達移動体に形成されたコマ溝部に遊挿した。【選択図】図１
0003129804.tif 000002
【実用新案登録請求の範囲】
【請求項１】
チャック本体と、該チャック本体には、一個のドローリングと、複数個の伝達移動体と、複数個の把持爪部とが装着されてなるチャックにおいて、前記ドローリングの周縁部に設けられた傾斜溝内に、前記伝達移動体の先端傾斜部が遊嵌すると共に、前記各伝達移動体を挟んで一対の把持爪部が形成されると共に、前記チャック本体に軸支される二個のレバーの一端部は前記把持爪部に設けられた保持溝に保持されると共に、前記レバーの他端部は伝達移動体に形成されたコマ溝部に遊挿したことを特徴とするフローティングチャック。
【請求項２】
三個の伝達移動体と、六個の把持爪部からなる請求項１記載のフローティングチャック。
【考案の詳細な説明】
【考案の詳細な説明】
【技術分野】
【０００１】この考案は、複数の各把持爪が加工物の形状に合わせて掴めるよう、各爪が微調節して働き、加工物が把持爪の力により変形しないで把持されるため、加工終了後に取り外しても、加工物の変形が少なくするフローティングチャックに関する。
【背景技術】
【０００２】従来、３爪チャック又は６爪チャック又は多爪チャックがあるが、３爪チャックの場合は、三点に力が集中して加工物が変形する。（例えば、特許文献１及び特許文献２）又、６爪チャック又は多数爪チャックでは、加工物が変形している場合、加工物を把持に参加する適個の爪のみで把持し、残りの非把持の爪は加工物を把持しない場合がある。（例えば、特許文献３）このようなチャックでは、取り外した場合に加工物が元に戻り、加工した時と真円度が異なる欠点がある。【０００３】
【特許文献１】実開平０５−５３８１４号
【特許文献１】実開平０７−３９０７号
【特許文献１】実用新案登録第３０２８４１１号
【考案の解決しようとする課題】
【０００４】加工物が変形している場合、従来の３爪チャックのように、少ない爪で加工物を把持しているものでは、把持する個所で過度の把持力が働き、該部を変形させる。又は、６爪チャック又は多爪チャックは、それぞれのチャックは固定した位置で、加工物を均等な強い押圧力で把持することになるので、把持部にて加工物が変形することがある。又、加工物が変形物である場合、加工物の位置により、押圧把持力が異なり、場合により把持する部分、把持しない部分もあることから、加工物を変形させて加工し、又取り外した時、加工した時と取り外した時と、加工物の真円度が異なることもある。
【０００５】したがって、この考案の目的とするところは、加工物を把持する場合、複数の把持部で押圧把持力を均等化すると共に、例えば変形の加工物の場合にでも、変形した加工物に合わせて複数の把持部の全てが加工物の把持に参加することにより、把持爪による加工物の変形を最小にすることである。
【課題を解決するための手段】
【０００６】前記の目的を達成すべく、この考案は、チャック本体と、該チャック本体には、一個のドローリングと、複数個の伝達移動体と、複数個の把持爪部とが装着されされてなるチャックにおいて、、前記ドローリングの周縁部に設けられた傾斜溝内に、前記伝達移動体の先端傾斜部が遊嵌すると共に、前記各伝達移動体を挟んで一対の把持爪部が形成されると共に、前記チャック本体に軸支される二個のレバーの一端部は前記把持爪部に設けられた保持溝に保持されると共に、前記レバーの他端部は伝達移動体に形成されたコマ溝部に遊挿したものである。
また、三個の伝達移動体と、六個の把持爪部から構成したものである。
【考案を実施するための最良の形態】
【実施例１】
【０００７】チャック本体１と、該チャック本体１の中心部には、一個のドローリング２と、複数個の伝達移動体３と、複数個の把持爪部４とが装着されている。【０００８】前記ドローリング２の周縁部に設けられた傾斜溝５内に、前記伝達移動体３の先端傾斜部６が遊嵌すると共に、前記各伝達移動体３を挟んで一対の把持爪部４が形成されている。【０００９】伝達移動体３の両側にはそれぞれ一個のレバー７、７のほぼ中央部がチャック本体１に軸８によって軸支１２されると共に、それぞれのレバー７の一端部９は前記把持爪部４に保持溝１０に間挿されるると共に、前記レバー７の他端部１１は伝達移動体３に形成されたコマ溝部１２に遊挿してあるものである。【００１０】複数個の把持爪部４は、爪台部１３と、爪台部１３の上面に把持爪部４とからなっている。上記レバー７には保持溝１０が凹設されている。【００１１】ドローリング２が摺動することによりドローリング２の周縁部に設けられた傾斜溝５に遊嵌している傾斜部６を有する伝達移動体３が摺動することになる。更に、伝達移動体３の動きに対応して各レバー７が前記軸８を中心に揺動する。前記のように、それぞれのレバー７の一端部９は前記把持爪部９に保持溝１０に保持されると共に、前記レバー７の他端部１１は伝達移動体３に形成されたコマ溝部１２に遊挿されているので、伝達移動体３の動きによって把持方向に把持爪部９を動かすことになる。【００１２】加工物Ａが変形している場合、従来の６個以上の把持爪では、その中の一または複数個の把持爪部が加工物Ａを把持に参加せずに加工する場合があり、加工物Ａを変形させて加工し、加工物Ａ取り外したときに加工時の真円度が異なることになるが、本願考案のフローティングチャックでは、レバー７の動きを通じて加工物Ａの形状に合わせて、加工物Ａを把持する各伝達移動体３の両側の把持爪部９、９の微調整が行われる。従って、加工物Ａが変形している場合であっても、各把持爪部９、９同志で加工物Ａが変形量を合わせて微調整把持することができるので加工物Ａが変形を最小限に達成することができる。
【考案の効果】
【００１３】加工に係る加工物Ａがしばしば変形している場合があるが、各伝達移動体３の動きがレバー７によって各把持爪部９、９を微調整させ、加工物Ａの形状の変形量に合わせた把持力にて把持することになるから、加工物Ａを変形を最小とすることができる。
【図面の簡単な説明】
【００１４】
【図１】本願考案のフローティングチャックの正面図
【図２】本願考案のフローティングチャックにより把持した状態を示す断面図
【図３】本願考案のドローリング先端傾斜部と伝達移動体の傾斜溝とのかみ合わせを示す断面図
【図４】非変形の加工物をを把持した状態を略図的に示した正面図
【図５】変形した加工物を把持した状態を略図的に示した正面図
【符号の説明】
１．．．チャック本体
２．．．ドローリング
３．．．伝達移動体
４．．．把持爪部
５．．．傾斜溝
６．．．先端傾斜部
７．．．レバー
８．．．軸
９．．．一端部
１０．．保持溝
１１．．他端部
１２．．コマ溝部
１３．．爪台部
Ａ．．．加工物
【図１】
0003129804.tif 000003
【図２】
0003129804.tif 000004
【図３】
0003129804.tif 000005
【図４】
0003129804.tif 000006
【図５】
0003129804.tif 000007